(57)【要約】【課題】記録ヘッドに付着したインクやクリーニング液が、記録媒体に接触して付着したり落下したりするのを抑制することが可能なヘッドクリーニング機構を提供する。【解決手段】ヘッドクリーニング機構は、インク吐出口１８ａが開口するインク吐出面Ｆ１を含む記録ヘッド１７と、インク吐出面Ｆ１を拭くワイパー３５と、を備える。記録ヘッド１７は、インク吐出口１８ａに対してワイピング方向の上流側に配置されるクリーニング液供給口６０ａと、ワイピング方向の下流側に向かって下方に傾斜するとともに、ワイピング動作時にワイパー３５の先端が圧接される傾斜面６２と、を有する。傾斜面６２は、ワイピング動作時にワイパー３５による圧接が開始される圧接開始位置Ｐと、少なくとも圧接開始位置Ｐからクリーニング液供給口６０ａよりもワイピング方向の上流側の位置まで設けられる撥水性領域Ｒ１０と、を有する。【選択図】図５
2018149756.tif 000002
【特許請求の範囲】
【請求項１】
記録媒体上にインクを吐出する複数のインク吐出口が開口するインク吐出面を含む記録ヘッドと、
前記インク吐出面を所定方向に拭くワイパーと、
を備え、
前記記録ヘッドは、
前記インク吐出口に対して、前記インク吐出面を前記ワイパーが拭く方向であるワイピング方向の上流側に配置され、クリーニング液を供給する複数のクリーニング液供給口と、
前記クリーニング液供給口が形成される供給口形成面に対して前記ワイピング方向の上流側に連結され、前記ワイピング方向の下流側に向かって下方に傾斜するとともに、ワイピング動作時に前記ワイパーの先端が圧接される傾斜面と、
を有し、
前記傾斜面は、
前記ワイピング動作時に前記ワイパーによる圧接が開始される圧接開始位置と、
少なくとも前記圧接開始位置から前記クリーニング液供給口よりも前記ワイピング方向の上流側の位置まで設けられ、水に対する接触角が９０°以上である撥水性領域と、
を有することを特徴とするヘッドクリーニング機構。
【請求項２】
前記供給口形成面と前記傾斜面との接続部分の近傍であって前記撥水性領域に対して前記ワイピング方向の下流側には、水に対する接触角が９０°未満である親水性領域が前記ワイピング方向と直交するヘッド幅方向に延びるように設けられていることを特徴とする請求項１に記載のヘッドクリーニング機構。
【請求項３】
前記親水性領域は、前記接続部分の近傍において前記ヘッド幅方向の略全域に形成されていることを特徴とする請求項２に記載のヘッドクリーニング機構。
【請求項４】
前記親水性領域は、前記供給口形成面に設けられており、
前記撥水性領域は、前記傾斜面のうちの少なくとも前記圧接開始位置から前記接続部分まで設けられていることを特徴とする請求項２または３に記載のヘッドクリーニング機構。
【請求項５】
前記親水性領域の水に対する接触角は、前記供給口形成面の水に対する接触角よりも小さいことを特徴とする請求項４に記載のヘッドクリーニング機構。
【請求項６】
前記撥水性領域は、前記傾斜面の前記ワイピング方向と直交するヘッド幅方向の略全域に設けられていることを特徴とする請求項１〜５のいずれか１項に記載のヘッドクリーニング機構。
【請求項７】
前記記録ヘッドは、
前記インク吐出面を有するインク吐出ヘッド部と、
前記傾斜面と、前記複数のクリーニング液供給口が開口するクリーニング液供給領域を含む前記供給口形成面であるクリーニング液供給面と、を有するクリーニング液供給ヘッド部と、
によって構成されていることを特徴とする請求項１〜６のいずれか１項に記載のヘッドクリーニング機構。
【請求項８】
前記ワイパーの前記ワイピング方向と直交するヘッド幅方向の長さは、前記インク吐出面の前記ヘッド幅方向の長さよりも大きく、前記傾斜面の前記ヘッド幅方向の長さよりも小さく、
前記撥水性領域の前記ヘッド幅方向の長さは、前記ワイパーの前記ヘッド幅方向の長さよりも大きいことを特徴とする請求項７に記載のヘッドクリーニング機構。
【請求項９】
前記傾斜面の前記インク吐出面に対する傾斜角は、前記インク吐出面を前記ワイパーが拭いている状態での前記ワイパーの先端部の前記インク吐出面に対する圧接角よりも小さいことを特徴とする請求項１〜８のいずれか１項に記載のヘッドクリーニング機構。
【請求項１０】
前記傾斜角は、１５°以上４５°未満であることを特徴とする請求項９に記載のヘッドクリーニング機構。
【請求項１１】
請求項１〜１０のいずれか１項に記載のヘッドクリーニング機構を備えることを特徴とするインクジェット記録装置。
【発明の詳細な説明】
【技術分野】
【０００１】
本発明は、用紙のような記録媒体にインクを吐出するインク吐出口を有する記録ヘッドを含むヘッドクリーニング機構およびそれを備えたインクジェット記録装置に関するものである。
【背景技術】
【０００２】
ファクシミリ、複写機、プリンターのような記録装置として、インクを吐出して画像を形成するインクジェット記録装置が、高精細な画像を形成できることから広く用いられている。
【０００３】
このようなインクジェット記録装置では、画像記録のためのインク滴と共に吐出される微小なインク滴（以下、ミストと称する）や、インク滴が記録媒体に付着した際に発生する跳ね返りミストが、記録ヘッドのインク吐出面に付着して固化する。インク吐出面のミストが徐々に増加しインク吐出口に重なると、インクの直進性の悪化（飛翔曲がり）や不吐出等が発生して記録ヘッドの印字性能が低下する。
【０００４】
そこで、記録ヘッドのインク吐出面を清浄化するために、インク吐出面のうちの複数のインク吐出口が開口するインク吐出領域の外側（ワイパーのワイピング方向上流側）の部分に、クリーニング液吐出口を複数個設けたインクジェット記録装置が知られている。このインクジェット記録装置では、クリーニング液吐出口からクリーニング液を吐出した後、ワイパーをクリーニング液吐出口よりも外側からインク吐出面に沿って移動させることによって、ワイパーでクリーニング液を保持しながらインク吐出面を拭くことができる。このようにして、記録ヘッドの回復処理を行うことができる。
【０００５】
なお、記録ヘッドのインク吐出面にクリーニング液吐出口を複数個設けたインクジェット記録装置は、例えば特許文献１に開示されている。
【先行技術文献】
【特許文献】
【０００６】
【特許文献１】特開２００７−８３４９６号公報
【発明の概要】
【発明が解決しようとする課題】
【０００７】
ところで、上記従来のインクジェット記録装置では、インク吐出面に対するワイパーの食い込み量（オーバーラップ量）が約１ｍｍになるように、ワイパーをインク吐出面に対して圧接させる。このため、ワイパーをインク吐出面に対して垂直に圧接させる場合、ワイパーをインク吐出面に圧接させる際の負荷が大きくなってしまう。
【０００８】
そこで、ワイパーをインク吐出面よりもワイピング方向の上流側の位置で上昇させ、その位置からワイパーを水平方向（ワイピング方向）に移動させる方法が考えられる。これにより、ワイパーの先端部はワイピング方向と反対方向に撓んだ状態でインク吐出面に圧接されるので、ワイパーをインク吐出面に圧接させる際の負荷が大きくなるのを抑制することができる。
【０００９】
しかしながら、この方法では、ワイパーをワイピング方向に移動させることによりワイパーが記録ヘッドの側面に接触した際に、ワイパーの先端部に付着しているインクやクリーニング液が記録ヘッドのコーナー部（側面とインク吐出面との接続部）で掻き落とされ、記録ヘッドのコーナー部にインクやクリーニング液が付着する。そして、次回のワイピング動作時には、インクやクリーニング液がさらに付着する。これを繰り返し、インクやクリーニング液が徐々に増加すると、インクやクリーニング液が記録媒体に接触して付着したり、記録媒体や記録媒体搬送部に落下したりするという問題点がある。
【００１０】
本発明は、上記のような課題を解決するためになされたものであり、本発明の目的は、記録ヘッドに付着したインクやクリーニング液が、記録媒体に接触して付着したり落下したりするのを抑制することが可能なヘッドクリーニング機構およびそれを備えたインクジェット記録装置を提供することである。
【課題を解決するための手段】
【００１１】
上記目的を達成するために、本発明の第１の局面のヘッドクリーニング機構は、記録媒体上にインクを吐出する複数のインク吐出口が開口するインク吐出面を含む記録ヘッドと、インク吐出面を所定方向に拭くワイパーと、を備える。記録ヘッドは、インク吐出口に対して、インク吐出面をワイパーが拭く方向であるワイピング方向の上流側に配置され、クリーニング液を供給する複数のクリーニング液供給口と、クリーニング液供給口が形成される供給口形成面に対してワイピング方向の上流側に連結され、ワイピング方向の下流側に向かって下方に傾斜するとともに、ワイピング動作時にワイパーの先端が圧接される傾斜面と、を有する。傾斜面は、ワイピング動作時にワイパーによる圧接が開始される圧接開始位置と、少なくとも圧接開始位置からクリーニング液供給口よりもワイピング方向の上流側の位置まで設けられ、水に対する接触角が９０°以上である撥水性領域と、を有する。
【発明の効果】
【００１２】
本発明の第１の局面のヘッドクリーニング機構によれば、ワイパーを傾斜面の下方で上昇させ、その位置からワイパーをワイピング方向に移動させることによって、ワイパーの先端部はワイピング方向と反対方向に撓んだ状態でインク吐出面に圧接されるので、ワイパーをインク吐出面に対して垂直に圧接させる場合と異なり、ワイパーをインク吐出面に圧接させる際の負荷が大きくなるのを抑制することができる。
【００１３】
また、記録ヘッドの傾斜面は、ワイピング動作時にワイパーによる圧接が開始される圧接開始位置と、少なくとも圧接開始位置からクリーニング液供給口よりもワイピング方向の上流側の位置まで設けられ、水に対する接触角が９０°以上である撥水性領域と、を有する。これにより、ワイピング動作時にワイパーから傾斜面に付着（移動）したインクやクリーニング液は、傾斜面をクリーニング液供給口よりもワイピング方向の上流側の位置まで流れる。傾斜面を流れたインクやクリーニング液は、次回のワイピング動作時にワイパーによって拭き取られる。このため、記録ヘッドの表面のインクやクリーニング液が徐々に増加するのを抑制することができるので、インクやクリーニング液が記録媒体に接触して付着したり、記録媒体や記録媒体搬送部に落下したりするのを抑制することができる。
【図面の簡単な説明】
【００１４】
【図１】本発明の一実施形態の記録ヘッドを備えたインクジェット記録装置の構造を示す図
【図２】図１に示すインクジェット記録装置の第１搬送ユニット及び記録部を上方から見た図
【図３】記録部のラインヘッドを構成する記録ヘッドの図
【図４】記録ヘッドをインク吐出面側から見た図
【図５】記録ヘッドのクリーニング液供給部材を斜め下方から見た図
【図６】記録ヘッドのクリーニング液供給部材およびヘッド部を下方から見た図
【図７】クリーニング液供給部材の構造を示す図
【図８】ワイパーがインク吐出面に圧接された状態で矢印Ａ方向に移動している状態を示す図
【図９】ワイパーがクリーニング液供給部材の傾斜面に圧接された状態で矢印Ａ方向に移動している状態を示す図
【図１０】メンテナンスユニットを記録部の下方に配置した状態を示す図
【図１１】ワイパーを記録ヘッドの下方に配置した状態を示す図
【図１２】図１１の状態からワイパーを上昇させクリーニング液供給部材に圧接させた状態を示す図
【図１３】図１２の状態からワイパーをクリーニング液供給部材に圧接させた状態で矢印Ａ方向に移動させた状態を示す図
【図１４】前回のワイピング動作時にワイパーの先端部に付着したインクやクリーニング液が残っていた場合において、ワイパーを傾斜面に圧接させた状態を示す図
【図１５】図１４の状態からワイパーをクリーニング液供給部材に圧接させた状態で矢印Ａ方向に移動させた状態を示す図
【図１６】図１４の状態からワイパーをクリーニング液供給部材に圧接させた状態で矢印Ａ方向に移動させた状態を下方から見た図
【図１７】図１５の状態からワイパーをクリーニング液供給部材に圧接させた状態でさらに矢印Ａ方向に移動させた状態を示す図
【図１８】図１３の状態からワイパーをさらに矢印Ａ方向に移動させた状態を示す図
【図１９】図１８の状態からワイパーをさらに矢印Ａ方向に移動させた後、ワイパーを下降させインク吐出面から離間させた状態を示す図
【図２０】本発明の変形例の記録ヘッドのヘッド部を下方から見た図
【発明を実施するための形態】
【００１５】
以下、本発明の実施形態について図面を参照して説明する。
【００１６】
図１に示すように、本発明の一実施形態のインクジェット記録装置１００の左側部には用紙Ｓ（記録媒体）を収容する給紙トレイ２が設けられており、この給紙トレイ２の一端部には収容された用紙Ｓを、最上位の用紙Ｓから順に一枚ずつ後述する第１搬送ユニット５へと搬送給紙するための給紙ローラー３と、給紙ローラー３に圧接され従動回転する従動ローラー４とが設けられている。
【００１７】
用紙搬送方向（矢印Ｘ方向）に対し給紙ローラー３及び従動ローラー４の下流側（図１の右側）には、第１搬送ユニット５及び記録部９が配置されている。第１搬送ユニット５は、第１駆動ローラー６と、第１従動ローラー７と、第１駆動ローラー６及び第１従動ローラー７に掛け渡された第１搬送ベルト８とを含む構成であり、インクジェット記録装置１００全体を制御する制御部１１０からの制御信号により第１駆動ローラー６が時計回り方向に回転駆動されることにより、第１搬送ベルト８に保持された用紙Ｓが矢印Ｘ方向に搬送される。
【００１８】
記録部９は、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、第１搬送ベルト８の搬送面に対して所定の間隔（例えば１ｍｍ）が形成されるような高さに支持され、図２に示すように、用紙搬送方向と直交する用紙幅方向（図２の上下方向）に沿って延びる１個以上（ここでは１個）の記録ヘッド１７によって構成されている。
【００１９】
図３及び図４に示すように、記録ヘッド１７のヘッド部（インク吐出ヘッド部）１８のインク吐出面Ｆ１には、インク吐出口１８ａ（図２参照）が多数配列されたインク吐出領域Ｒ１が設けられている。なお、ヘッド部１８の少なくともインク吐出面Ｆ１は、例えばＳＵＳ（ステンレス鋼）によって形成されている。インク吐出面Ｆ１は、フッ素系またはシリコン系の撥水剤を塗布することにより撥水処理が施されており、ここでは水に対する接触角が１１３°となっている。
【００２０】
各ラインヘッド１１Ｃ〜１１Ｋを構成する記録ヘッド１７には、それぞれインクタンク（図示せず）に貯留されている４色（シアン、マゼンタ、イエロー及びブラック）のインクがラインヘッド１１Ｃ〜１１Ｋの色毎に供給される。
【００２１】
各記録ヘッド１７は、制御部１１０（図１参照）からの制御信号により外部コンピューターから受信した画像データに応じて、第１搬送ベルト８の搬送面に吸着保持されて搬送される用紙Ｓに向かってインク吐出口１８ａからインクを吐出する。これにより、第１搬送ベルト８上の用紙Ｓにはシアン、マゼンタ、イエロー、ブラックの４色のインクが重ね合わされたカラー画像が形成される。
【００２２】
また、記録ヘッド１７には、クリーニング液を供給するクリーニング液供給部材（クリーニング液供給ヘッド部）６０が設けられている。クリーニング液供給部材６０は、ヘッド部１８に対して後述するワイパー３５のワイピング方向上流側（図３の右側）に隣接して配置されている。また、クリーニング液供給部材６０は、ワイピング方向の下流側に向かって下方に傾斜する傾斜面６２と、傾斜面６２のワイピング方向の下流端（図３の下端、後述する接続部分６０ｂ）からインク吐出面Ｆ１に向かって延びるクリーニング液供給面（供給口形成面）Ｆ２と、を有する。クリーニング液供給面Ｆ２は、インク吐出面Ｆ１と略面一で平行に配置されている。
【００２３】
クリーニング液供給面Ｆ２は、クリーニング液を供給するクリーニング液供給口６０ａ（図５参照）が多数配列されたクリーニング液供給領域Ｒ２を含む。なお、クリーニング液供給部材６０は、例えば樹脂やＳＵＳによって形成されている。クリーニング液供給部材６０の詳細構造については、後述する。
【００２４】
図１に戻って、用紙搬送方向に対し第１搬送ユニット５の下流側（図１の右側）には第２搬送ユニット１２が配置されている。第２搬送ユニット１２は、第２駆動ローラー１３と、第２従動ローラー１４と、第２駆動ローラー１３及び第２従動ローラー１４に掛け渡された第２搬送ベルト１５とを含む構成であり、第２駆動ローラー１３が時計回り方向に回転駆動されることにより、第２搬送ベルト１５に保持された用紙Ｓが矢印Ｘ方向に搬送される。
【００２５】
記録部９にてインク画像が記録された用紙Ｓは第２搬送ユニット１２へと送られ、第２搬送ユニット１２を通過する間に用紙Ｓ表面に吐出されたインクが乾燥される。また、第２搬送ユニット１２の下方にはワイプユニット１９及びキャップユニット９０が配置されている。後述するワイパー３５による拭き取り動作（ワイピング動作）を実行する際には、第１搬送ユニット５が下降し、ワイプユニット１９は、記録部９の下方に移動し、記録ヘッド１７のインク吐出口１８ａから強制排出されたインクおよびクリーニング液供給口６０ａから供給されたクリーニング液を拭き取り、拭き取られたインクおよびクリーニング液を回収する。記録ヘッド１７のインク吐出面Ｆ１（図３参照）をキャッピングする際には、第１搬送ユニット５が下降し、キャップユニット９０は記録部９の下方に水平移動し、さらに上方に移動して記録ヘッド１７の下面に装着される。
【００２６】
また、用紙搬送方向に対し第２搬送ユニット１２の下流側には、画像が記録された用紙Ｓを装置本体外へと排出する排出ローラー対１６が設けられており、排出ローラー対１６の下流側には、装置本体外へと排出された用紙Ｓが積載される排出トレイ（図示せず）が設けられている。
【００２７】
ワイプユニット１９は、インク吐出面Ｆ１に沿って移動可能な複数のワイパー３５（図８参照）と、複数のワイパー３５が固定された略矩形状のキャリッジ（図示せず）と、キャリッジを支持する支持フレーム（図示せず）とで構成されている。キャリッジ（図示せず）は支持フレーム（図示せず）に対し矢印ＡＡ´方向に摺動可能に支持される。
【００２８】
ワイパー３５は、各記録ヘッド１７のクリーニング液供給口６０ａ（図５参照）から供給されたクリーニング液を拭き取るための弾性部材（例えばＥＰＤＭからなるゴム製の部材）である。ワイパー３５は、クリーニング液供給部材６０の傾斜面６２の所定位置（圧接開始位置Ｐ（図５参照））に圧接され、キャリッジ（図示せず）の移動によりクリーニング液供給面Ｆ２およびインク吐出面Ｆ１を所定方向（矢印Ａ方向）に拭く。なお、ワイパー３５を含むワイプユニット１９および記録ヘッド１７によって、ヘッドクリーニング機構が構成されている。
【００２９】
次に、クリーニング液供給部材６０の構造を詳細に説明する。
【００３０】
図５および図６に示すように、クリーニング液供給口６０ａは、ワイピング方向（矢印Ａ方向）と直交するヘッド幅方向（矢印ＢＢ´方向）に所定のピッチで複数個配置されている。なお、図では、ヘッド幅方向に沿って配置される複数のクリーニング液供給口６０ａからなる列を１列のみ描いているが、この列はワイピング方向（矢印Ａ方向）に隣接して複数列設けられていてもよい。
【００３１】
クリーニング液供給部材６０のクリーニング液供給面Ｆ２および傾斜面６２のヘッド幅方向（矢印ＢＢ´方向）の長さＬ６０は、ヘッド部１８のインク吐出面Ｆ１のヘッド幅方向の長さＬ１８よりも大きく形成されている。また、ワイパー３５のヘッド幅方向の長さＬ３５は、クリーニング液供給面Ｆ２および傾斜面６２のヘッド幅方向の長さＬ６０よりも小さく、インク吐出面Ｆ１のヘッド幅方向の長さＬ１８よりも大きく形成されている。
【００３２】
傾斜面６２には、少なくとも圧接開始位置Ｐ（ワイピング動作時にワイパー３５による圧接が開始される位置）からクリーニング液供給口６０ａよりもワイピング方向の上流側の位置（圧接開始位置Ｐに対してワイピング方向の下流側の位置）まで撥水性領域Ｒ１０が設けられている。なお、図では、理解を容易にするために、圧接開始位置Ｐおよび撥水性領域Ｒ１０にハッチングを施している。本実施形態では、撥水性領域Ｒ１０は、圧接開始位置Ｐよりもワイピング方向の上流側の位置から、傾斜面６２とクリーニング液供給面Ｆ２との接続部分６０ｂ（傾斜面６２のワイピング方向の下流端）まで形成されている。また、撥水性領域Ｒ１０は、傾斜面６２のヘッド幅方向（矢印ＢＢ´方向）の全域に亘って形成されている。このため、撥水性領域Ｒ１０のヘッド幅方向の長さＬ６０ａは、傾斜面６２のヘッド幅方向の長さＬ６０と等しく、ワイパー３５のヘッド幅方向の長さＬ３５よりも大きい。
【００３３】
撥水性領域Ｒ１０を形成する方法としては、撥水性領域Ｒ１０を形成する領域に対して、フッ素系またはシリコン系の撥水剤を塗布する方法等が挙げられる。撥水性領域Ｒ１０の水に対する接触角は、９０°以上（ここでは９５°）となっている。
【００３４】
また、傾斜面６２とクリーニング液供給面Ｆ２との接続部分６０ｂの近傍であって撥水性領域Ｒ１０に対してワイピング方向の下流側には、親水性領域Ｒ１１が設けられている。なお、図では、理解を容易にするために、親水性領域Ｒ１１にハッチングを施している。親水性領域Ｒ１１は、クリーニング液供給部材６０の他の部分（例えば、撥水性領域Ｒ１０およびクリーニング液供給面Ｆ２）に比べて水に対する濡れ性が高くなるように形成されている。本実施形態では、親水性領域Ｒ１１は、クリーニング液供給面Ｆ２に設けられており、接続部分６０ｂから、クリーニング液供給領域Ｒ２の手前の位置（接続部分６０ｂとクリーニング液供給領域Ｒ２との間の位置）まで形成されている。なお、親水性領域Ｒ１１は、接続部分６０ｂの近傍であれば、傾斜面６２に設けられていてもよい。
【００３５】
親水性領域Ｒ１１は、ヘッド幅方向（矢印ＢＢ´方向）に延びるように形成されている。また、親水性領域Ｒ１１は、接続部分６０ｂの近傍においてヘッド幅方向の略全域に亘って連続する帯状に形成されている。
【００３６】
親水性領域Ｒ１１を形成する方法としては、親水性領域Ｒ１１を形成する領域に対して、親水性のコート剤を塗布する方法、或いは粗面化する方法等が挙げられる。親水性領域Ｒ１１の水に対する接触角は、９０°未満（ここでは６０°）となっており、クリーニング液供給面Ｆ２（ただし、親水性領域Ｒ１１を除く）の水に対する接触角（ここでは７０°）および撥水性領域Ｒ１０の水に対する接触角（ここでは９５°）よりも小さい。
【００３７】
また、図７および図８に示すように、クリーニング液供給部材６０は、傾斜面６２のインク吐出面Ｆ１およびクリーニング液供給面Ｆ２に対する傾斜角α１（図７参照）が、インク吐出面Ｆ１をワイパー３５が拭いている状態でのワイパー３５の先端部のインク吐出面Ｆ１に対する圧接角α２（図８参照）よりも小さくなるように形成されている。具体的には、ワイパー３５の先端部のインク吐出面Ｆ１およびクリーニング液供給面Ｆ２に対する圧接角α２は、約４５°に設定されている。傾斜面６２のインク吐出面Ｆ１およびクリーニング液供給面Ｆ２に対する傾斜角α１は、１５°以上４５°未満に設定されていることが好ましく、３０°以上４０°未満に設定されていることがより好ましい。
【００３８】
傾斜角α１を圧接角α２よりも小さく形成しているため、図９に示すように、ワイパー３５をワイピング方向（図９の左方向）に移動させた際に、ワイパー３５の先端のワイピング方向の下流側のコーナー部３５ａのみが傾斜面６２に接触する。すなわち、ワイパー３５のワイピング方向の下流側の側面３５ｂは、傾斜面６２に接触しない。
【００３９】
クリーニング液供給部材６０には、クリーニング液供給路（図示せず）を介してクリーニング液を収容するタンク（図示せず）が接続されている。クリーニング液供給路には、タンクからクリーニング液を汲み上げてクリーニング液供給部材６０に送るクリーニング液供給ポンプ（図示せず）が設けられている。
【００４０】
このインクジェット記録装置１００では、記録ヘッド１７のインク吐出面Ｆ１を清浄にするために、長期間停止後の印字開始時及び印字動作の合間には、全ての記録ヘッド１７のインク吐出口１８ａからインクを強制的に排出し、並行して全ての記録ヘッド１７のクリーニング液供給口６０ａ（図５参照）からクリーニング液供給領域Ｒ２にクリーニング液を供給し、ワイパー３５によりインク吐出面Ｆ１を拭き取る記録ヘッド１７の回復動作を実行し、次の印字動作に備える。
【００４１】
次に、本実施形態のインクジェット記録装置１００における、ワイプユニット１９を用いた記録ヘッド１７の回復動作について説明する。なお、以下で説明する記録ヘッド１７の回復動作は、制御部１１０（図１参照）からの制御信号に基づいて記録ヘッド１７、ワイプユニット１９、クリーニング液供給ポンプ等の動作を制御することによって実行される。
【００４２】
記録ヘッド１７の回復動作を行う場合、先ず、図１０に示すように、制御部１１０（図１参照）は記録部９の下方に位置する第１搬送ユニット５を下降させる。そして、制御部１１０は第２搬送ユニット１２の下方に配置されたワイプユニット１９を水平移動させて記録部９と第１搬送ユニット５との間に配置する。この状態では、ワイプユニット１９のワイパー３５（図１１参照）は記録ヘッド１７のインク吐出面Ｆ１およびクリーニング液供給面Ｆ２（図１１参照）よりも下方に配置されている。
【００４３】
（クリーニング液供給動作）
ワイピング動作（後述の拭き取り動作）に先立って、制御部１１０（図１参照）からの制御信号によってクリーニング液供給ポンプ（図示せず）が駆動（オン）され、図１１に示すようにクリーニング液２３が記録ヘッド１７に供給される。このとき、クリーニング液２３は、クリーニング液供給口６０ａからクリーニング液供給面Ｆ２に所定量だけ供給される。なお、図では、理解を容易にするために、クリーニング液２３にハッチングを施している。
【００４４】
（インク押出動作）
また、ワイピング動作（後述の拭き取り動作）に先立って、図１１に示すように、制御部１１０（図１参照）によってインク２２が記録ヘッド１７に供給される。供給されたインク２２はインク吐出口１８ａから強制的に押出（パージ）される。このパージ動作により、インク吐出口１８ａ内の増粘インク、異物や気泡がインク吐出口１８ａから排出される。このとき、パージインク２２はインク吐出口１８ａの存在するインク吐出領域Ｒ１の形状に沿ってインク吐出面Ｆ１に押出される。なお、図では、理解を容易にするために、インク（パージインク）２２にハッチングを施している。
【００４５】
（拭き取り動作）
制御部１１０は図１２に示すように、ワイパー３５を上昇させて記録ヘッド１７のクリーニング液供給部材６０の傾斜面６２に所定の圧力で接触させる。このとき、ワイパー３５の上面がインク吐出面Ｆ１およびクリーニング液供給面Ｆ２よりも約１ｍｍだけ高くなるように、ワイパー３５を上昇させる。なお、ワイパー３５を上昇させた時点では、ワイパー３５は傾斜面６２に圧接されていなくてもよい。すなわち、ワイパー３５を図１２よりも右側の位置で上昇させてもよい。
【００４６】
ワイパー３５の先端がクリーニング液供給部材６０の傾斜面６２に圧接した状態から、制御部１１０はワイパー３５を図１３に示すようにクリーニング液供給面Ｆ２に沿ってインク吐出領域Ｒ１の方向（矢印Ａ方向）に移動させる。これにより、ワイパー３５は、クリーニング液２３を保持した状態でインク吐出領域Ｒ１の方向に移動する。
【００４７】
このとき、図１４に示すように、前回のワイピング動作時にワイパー３５の先端部に付着したインク２２ａやクリーニング液２３ａが残っていた場合、ワイパー３５の先端部に付着しているインク２２ａやクリーニング液２３ａは、傾斜面６２の圧接開始位置Ｐに付着（移動）する。
【００４８】
ここで、図９に示すようにワイパー３５が傾斜面６２の下方をワイピング方向（矢印Ａ方向）に移動する際、ワイパー３５の先端のコーナー部３５ａのみが傾斜面６２に接触するので、図１５に示すように傾斜面６２に付着したインク２２ａやクリーニング液２３ａの一部（ワイパー３５のコーナー部３５ａよりもワイピング方向の下流側の部分）は、ワイパー３５によって拭き取られる。この際、図１６に示すように、ワイパー３５を傾斜面６２に沿って移動させると、インク２２ａやクリーニング液２３ａは、ワイパー３５のヘッド幅方向（矢印ＢＢ´方向）の両側に流れて撥水性領域Ｒ１０のヘッド幅方向の両端部に移動する。このインク２２ａやクリーニング液２３ａは、撥水性領域Ｒ１０をワイピング方向の下流側（矢印Ａ方向、下側）に流れる。
【００４９】
また、ワイパー３５の先端部から傾斜面６２に付着（移動）したインク２２ａやクリーニング液２３ａの残りは、図１５に示すように、撥水性領域Ｒ１０をワイピング方向の下流側（矢印Ａ方向、下側）に向かって流れる。
【００５０】
その後、撥水性領域Ｒ１０を流れたインク２２ａやクリーニング液２３ａは図１７に示すように、親水性領域Ｒ１１に到達して親水性領域Ｒ１１の全域に濡れ広がった状態で保持される。親水性領域Ｒ１１に保持されたインク２２ａやクリーニング液２３ａは、次回のワイピング動作時にワイパー３５によって拭き取られる。
【００５１】
図１３に示した状態の後、ワイパー３５は図１８に示すように、クリーニング液２３およびパージインク２２を保持した状態を維持しながらインク吐出面Ｆ１を左方向（矢印Ａ方向）に移動する。このとき、クリーニング液２３およびパージインク２２によって、インク吐出面Ｆ１に付着して固化したインク滴（廃インク）が溶解し、ワイパー３５によって拭き取られる。そして、ワイパー３５は、さらに左方向（矢印Ａ方向）に移動し、インク吐出領域Ｒ１に対してクリーニング液供給領域Ｒ２とは反対側の位置に到達すると、左方向への移動が停止される。なお、ワイパー３５によって拭き取られたクリーニング液２３および廃インクは、ワイプユニット１９に設けられたクリーニング液回収トレイ（不図示）に回収される。
【００５２】
（離間動作）
拭き取り動作の実行後、図１９に示すように、制御部１１０はワイパー３５を下降させてインク吐出面Ｆ１から離間させる。
【００５３】
最後に、制御部１１０は、記録部９と第１搬送ユニット５との間に配置されたワイプユニット１９を水平移動させて第２搬送ユニット１２の下方に配置し、第１搬送ユニット５を所定の位置まで上昇させる。このようにして、記録ヘッド１７の回復動作を終了する。
【００５４】
本実施形態では、上記のように、ワイパー３５を傾斜面６２の下方で上昇させ、その位置からワイパー３５をワイピング方向に移動させることによって、ワイパー３５の先端部はワイピング方向と反対方向に撓んだ状態でインク吐出面Ｆ１に圧接されるので、ワイパー３５をインク吐出面Ｆ１に対して垂直に圧接させる場合と異なり、ワイパー３５をインク吐出面Ｆ１に圧接させる際の負荷が大きくなるのを抑制することができる。
【００５５】
また、記録ヘッド１７の傾斜面６２は、少なくとも圧接開始位置Ｐからクリーニング液供給口６０ａよりもワイピング方向の上流側の位置（ここでは接続部分６０ｂ）まで設けられ、水に対する接触角が９０°以上である撥水性領域Ｒ１０と、を有する。これにより、ワイピング動作時にワイパー３５から傾斜面６２に付着（移動）したインク２２ａやクリーニング液２３ａは、傾斜面６２をクリーニング液供給口６０ａよりもワイピング方向の上流側の位置（ここでは接続部分６０ｂ）まで流れる。傾斜面６２を流れたインク２２ａやクリーニング液２３ａは、次回のワイピング動作時にワイパー３５によって拭き取られる。このため、記録ヘッド１７の表面のインク２２ａやクリーニング液２３ａが徐々に増加するのを抑制することができるので、インク２２ａやクリーニング液２３ａが用紙Ｓに接触して付着したり、用紙Ｓや第１搬送ユニット５に落下したりするのを抑制することができる。
【００５６】
また、上記のように、クリーニング液供給面Ｆ２と傾斜面６２との接続部分６０ｂの近傍であって撥水性領域Ｒ１０に対してワイピング方向の下流側には、水に対する接触角が９０°未満である親水性領域Ｒ１１がヘッド幅方向に延びるように設けられている。これにより、傾斜面６２の下流端（接続部分６０ｂ）に流れたインク２２ａやクリーニング液２３ａは親水性領域Ｒ１１を濡れ広がるので、インク２２ａやクリーニング液２３ａが垂れ下がるのを抑制することができる。このため、インク２２ａやクリーニング液２３ａが用紙Ｓに接触して付着するのをより抑制することができる。
【００５７】
また、インク２２ａやクリーニング液２３ａが親水性領域Ｒ１１に沿って広がって保持されるため、インク２２ａやクリーニング液２３ａがヘッド幅方向（矢印ＢＢ´方向）の中央部に集まって大きな液滴になりクリーニング液供給部材６０から落下するのを抑制することができる。
【００５８】
また、上記のように、親水性領域Ｒ１１は、接続部分６０ｂの近傍においてヘッド幅方向の略全域に形成されている。これにより、傾斜面６２のヘッド幅方向両端部を流れたインク２２ａやクリーニング液２３ａも確実に親水性領域Ｒ１１に到達させることができる。
【００５９】
また、上記のように、撥水性領域Ｒ１０は、傾斜面６２のうちの少なくとも圧接開始位置Ｐから接続部分６０ｂまで設けられている。これにより、インク２２ａやクリーニング液２３ａを、クリーニング液供給面Ｆ２に設けられた親水性領域Ｒ１１に確実に到達させることができる。
【００６０】
また、上記のように、親水性領域Ｒ１１の水に対する接触角（ここでは６０°）は、クリーニング液供給面Ｆ２の水に対する接触角（ここでは７０°）よりも小さい。これにより、インク２２ａやクリーニング液２３ａが親水性領域Ｒ１１を超えてクリーニング液供給面Ｆ２まで濡れ広がるのを抑制することができる。
【００６１】
また、上記のように、撥水性領域Ｒ１０は、傾斜面６２のヘッド幅方向の略全域に設けられている。これにより、傾斜面６２のヘッド幅方向の両端部に付着したインク２２ａやクリーニング液２３ａもワイピング方向の下流側に向かって流すことができる。
【００６２】
また、上記のように、記録ヘッド１７は、インク吐出面Ｆ１を有するヘッド部１８と、傾斜面６２およびクリーニング液供給面Ｆ２を有するクリーニング液供給部材６０と、によって構成されている。これにより、ヘッド部１８に傾斜面６２を形成する場合と比べて、傾斜面６２を容易に形成することができる。
【００６３】
また、記録ヘッド１７におけるインク通過経路とクリーニング液通過経路とを別々の部材（ヘッド部１８およびクリーニング液供給部材６０）に形成することができるので、記録ヘッド１７の構造が複雑になるのを抑制することができる。
【００６４】
また、上記のように、ワイパー３５のヘッド幅方向の長さＬ３５は、傾斜面６２のヘッド幅方向の長さＬ６０よりも小さく、撥水性領域Ｒ１０のヘッド幅方向の長さＬ６０ａは、ワイパー３５のヘッド幅方向の長さＬ３５よりも大きい。これにより、ワイパー３５を傾斜面６２に圧接させた状態でワイピング方向の下流側に向かって移動させた際に、インク２２ａやクリーニング液２３ａがワイパー３５のヘッド幅方向の両側に流れて撥水性領域Ｒ１０のヘッド幅方向の両端部に移動した場合であっても、撥水性領域Ｒ１０によりインク２２ａやクリーニング液２３ａをワイピング方向の下流側に向かって流すことができる。
【００６５】
また、上記のように、傾斜面６２のインク吐出面Ｆ１に対する傾斜角α１は、インク吐出面Ｆ１をワイパー３５が拭いている状態でのワイパー３５の先端部のインク吐出面Ｆ１に対する圧接角α２よりも小さい。これにより、ワイパー３５が記録ヘッド１７の傾斜面６２に圧接した状態でワイピング方向に移動する際にワイパー３５はインク吐出面Ｆ１に対する圧接角α２以上に撓まないため、ワイパー３５はコーナー部３５ａのみが傾斜面６２に接触しながら移動する。すなわち、ワイパー３５の側面３５ｂは、記録ヘッド１７の側面（傾斜面６２）に接触しない。このため、インク２２ａやクリーニング液２３ａが傾斜面６２に残るのをより抑制することができる。
【００６６】
また、上記のように、傾斜角α１は、１５°以上４５°未満である。これにより、インク２２やクリーニング液２３を傾斜面６２の下流端に向かって容易に流れさせることができるとともに、ワイパー３５の先端のコーナー部３５ａのみを容易に傾斜面６２に接触させることができる。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
例えば、上記実施形態では、クリーニング液供給口６０ａが形成されたクリーニング液供給部材６０をヘッド部１８とは別体で設けた例について示したが、本発明はこれに限らない。クリーニング液供給部材６０を設けず、クリーニング液供給口６０ａをヘッド部１８のインク吐出面（供給口形成面）Ｆ１に形成してもよい。このとき、例えば図２０に示した本発明の変形例の記録ヘッド１７のように、クリーニング液供給口６０ａを、インク吐出口１８ａに隣接して（例えば、インク吐出口１８ａとクリーニング液供給口６０ａとを交互に）配置してもよい。
【００６９】
また、上記実施形態では、ワイパー３５のヘッド幅方向の長さＬ３５をクリーニング液供給面Ｆ２および傾斜面６２のヘッド幅方向の長さＬ６０よりも小さく形成する例について示したが、ワイパー３５のヘッド幅方向の長さＬ３５をクリーニング液供給面Ｆ２および傾斜面６２のヘッド幅方向の長さＬ６０よりも大きく形成してもよい。
【００７０】
また、上記実施形態では、クリーニング液２３およびインク（パージインク）２２を用いて記録ヘッド１７の回復動作を行う例について示したが、クリーニング液２３だけを用いて記録ヘッド１７の回復動作を行ってもよい。すなわち、インク押出動作を行わなくてもよい。
【００７１】
また、上述した実施形態および変形例の構成を適宜組み合わせて得られる構成についても、本発明の技術的範囲に含まれる。
【符号の説明】
【００７２】
１７  記録ヘッド
１８  ヘッド部（インク吐出ヘッド部）
１８ａ  インク吐出口
２２、２２ａ  インク
２３、２３ａ  クリーニング液
３５  ワイパー
６０  クリーニング液供給部材（クリーニング液供給ヘッド部）
６０ａ  クリーニング液供給口
６０ｂ  接続部分
６２  傾斜面
１００  インクジェット記録装置
Ｆ１  インク吐出面
Ｆ２  クリーニング液供給面（供給口形成面）
Ｌ１８、Ｌ３５、Ｌ６０、Ｌ６０ａ  長さ
Ｐ  圧接開始位置
Ｒ１  インク吐出領域
Ｒ２  クリーニング液供給領域
Ｒ１０  撥水性領域
Ｒ１１  親水性領域
Ｓ  用紙（記録媒体）
α１  傾斜角
α２  圧接角
【図１】
2018149756.tif 000003
【図２】
2018149756.tif 000004
【図３】
2018149756.tif 000005
【図４】
2018149756.tif 000006
【図５】
2018149756.tif 000007
【図６】
2018149756.tif 000008
【図７】
2018149756.tif 000009
【図８】
2018149756.tif 000010
【図９】
2018149756.tif 000011
【図１０】
2018149756.tif 000012
【図１１】
2018149756.tif 000013
【図１２】
2018149756.tif 000014
【図１３】
2018149756.tif 000015
【図１４】
2018149756.tif 000016
【図１５】
2018149756.tif 000017
【図１６】
2018149756.tif 000018
【図１７】
2018149756.tif 000019
【図１８】
2018149756.tif 000020
【図１９】
2018149756.tif 000021
【図２０】
2018149756.tif 000022